(57)【要約】【課題】カップホルダーにおいて、容器が収容部から抜けづらくなりにくくする。【解決手段】カップホルダー１は、容器Ｓを収容し、空調装置から送出された空気を流入させる第１開口部１１１を有する収容部１１と、収容部１１の外側において、第１の位置を中心として回転可能に支持されており、回転することで第１開口部１１１を開閉する蓋部１２と、一端が、収容部１１の外側において第１の位置と異なる第２の位置を中心として回転可能に支持されており、他端が、収容部１１に形成されている第２開口部１１２を貫通して収容部１１の内側において容器Ｓと接し、収容部１１の高さ方向に容器Ｓが移動することで回転する押さえ部１３と、一端が、第１の位置から第１の距離の位置において蓋部１２に接続されており、他端が、第２の位置から第１の距離よりも大きい第２の距離の位置において押さえ部１３に接続されている連結部１５と、を有する。【選択図】図１
2020131841.tif 000002
【特許請求の範囲】
【請求項１】
容器を収容し、空調装置から送出された空気を流入させる第１開口部を有する収容部と、
前記収容部の外側において、第１の位置を中心として回転可能に支持されており、回転することで前記第１開口部を開閉する蓋部と、
一端が、前記収容部の外側において前記第１の位置と異なる第２の位置を中心として回転可能に支持されており、他端が、前記収容部に形成されている第２開口部を貫通して前記収容部の内側において前記容器と接し、前記収容部の高さ方向に前記容器が移動することで回転する押さえ部と、
一端が、前記第１の位置から第１の距離の位置において前記蓋部に接続されており、他端が、前記第２の位置から前記第１の距離よりも大きい第２の距離の位置において前記押さえ部に接続されている連結部と、
を有することを特徴とするカップホルダー。
【請求項２】
前記押さえ部は、前記押さえ部の一部が前記第２開口部の下縁に接することで、下方に向かって回転する量が規制されることを特徴とする、
請求項１に記載のカップホルダー。
【請求項３】
前記押さえ部は、前記蓋部の下端が前記収容部の外側面における前記第１開口部の下方の領域に接することで、上方に向かって回転する量が規制されることを特徴とする、
請求項１又は２に記載のカップホルダー。
【請求項４】
前記押さえ部の他端は、外側に向かって突出する曲面形状であることを特徴とする、
請求項１から３のいずれか一項に記載のカップホルダー。
【発明の詳細な説明】
【技術分野】
【０００１】
本発明は、カップホルダーに関する。
【背景技術】
【０００２】
従来、車両等の移動体には、移動体の乗員が飲料物を一時的に配置するためのカップホルダーが設けられている。特許文献１には、車両の空調機から送出された空気が導かれる通風口を有するカップホルダーにおいて、カップ収納容器におけるカップの収納・排出動作に連動してシャッタ手段が回転することで通風口を開閉するカップホルダーが開示されている。
【先行技術文献】
【特許文献】
【０００３】
【特許文献１】特開２００５−１１９３７６号公報
【発明の概要】
【発明が解決しようとする課題】
【０００４】
特許文献１に示すように、車両には、カップ収納容器に対するカップの収納・排出動作に連動してシャッタ手段が回転することで通風口を開閉するカップホルダーが設けられている場合がある。この場合、カップ収納容器からカップを取り出すときに、カップがシャッタ手段に引っかかってしまうことで、カップがカップ収納容器から抜けづらくなってしまうおそれがあるという問題が生じていた。
【０００５】
そこで、本発明はこれらの点に鑑みてなされたものであり、容器が収容部から抜けづらくなりにくいカップホルダーを提供することを目的とする。
【課題を解決するための手段】
【０００６】
本発明の第１の態様においては、容器を収容し、空調装置から送出された空気を流入させる第１開口部を有する収容部と、前記収容部の外側において、第１の位置を中心として回転可能に支持されており、回転することで前記第１開口部を開閉する蓋部と、一端が、前記収容部の外側において前記第１の位置と異なる第２の位置を中心として回転可能に支持されており、他端が、前記収容部に形成されている第２開口部を貫通して前記収容部の内側において前記容器と接し、前記収容部の高さ方向に前記容器が移動することで回転する押さえ部と、一端が、前記第１の位置から第１の距離の位置において前記蓋部に接続されており、他端が、前記第２の位置から前記第１の距離よりも大きい第２の距離の位置において前記押さえ部に接続されている連結部と、を有することを特徴とするカップホルダーを提供する。
【０００７】
また、前記押さえ部は、前記押さえ部の一部が前記第２開口部の下縁に接することで、下方に向かって回転する量が規制されてもよい。また、前記押さえ部は、前記蓋部の下端が前記収容部の外側面における前記第１開口部の下方の領域に接することで、上方に向かって回転する量が規制されてもよい。また、前記押さえ部の他端は、外側に向かって突出する曲面形状であってもよい。
【発明の効果】
【０００８】
本発明によれば、カップホルダーにおいて、容器が収容部から抜けづらくなりにくくなるという効果を奏する。
【図面の簡単な説明】
【０００９】
【図１】本実施形態に係るカップホルダーの構造を示す。
【図２】本実施形態に係るカップホルダーに容器を収容又は排出する際のカップホルダーの動作を示す。
【発明を実施するための形態】
【００１０】
［カップホルダー１の構造］
図１は、本実施形態に係るカップホルダー１の構造を示す図である。
カップホルダー１は、例えば移動体である車両の座席の周辺に設けられている。カップホルダー１は容器Ｓを収容する。容器Ｓは、例えば、缶、ペットボトル、及びカップを含む。カップホルダー１は、容器Ｓを収容した状態で、車両の空調装置（以下、エアコン）から送出された空気によって、収容されている容器Ｓ内の液体を加熱したり、冷却したりする。
【００１１】
カップホルダー１は、収容部１１、蓋部１２、押さえ部１３、弾性部材１４、及び連結部１５を有する。収容部１１は容器Ｓを収容する。収容部１１は、例えば円筒形状である。収容部１１は、第１開口部１１１、及び第２開口部１１２を有する。第１開口部１１１は、車両のエアコンから送出された空気を流入させる開口部である。
【００１２】
第２開口部１１２は、収容部１１に形成されている。具体的には、第２開口部１１２は、収容部１１における第１開口部１１１の上方に形成されている。第２開口部１１２は、押さえ部１３が貫通する開口部である。押さえ部１３の詳細は後述する。
【００１３】
蓋部１２は、収容部１１の外側において、第１の位置を中心として回転可能に支持されており、回転することで第１開口部１１１を開閉する。第１の位置は、例えば、蓋部１２の上端に形成されている第１の穴１２１の位置である。蓋部１２は、第１の穴１２１に第１軸部１２２が挿入された状態で、第１軸部１２２に対して回転可能に支持されている。第１軸部１２２は、例えば収容部１１の高さ方向と直交する方向において延伸している。蓋部１２は、第１軸部１２２が挿入されている第１の穴１２１を中心に回転する。
【００１４】
蓋部１２は、蓋部１２の下端が、収容部１１の外側面から離れる向きに移動するように回転することで開く。具体的には、蓋部１２は、蓋部１２の下端が、収容部１１の外側面における第１開口部１１１の下方の第１領域１１３から離れる向きに移動するように回転することで開く。カップホルダー１は、蓋部１２が開いた状態で、車両のエアコンから送出された空気を第１開口部１１１から収容部１１に流入させる。
【００１５】
また、蓋部１２は、蓋部１２の下端が、収容部１１の外側面に近づく向きに移動するように回転することで閉じる。具体的には、蓋部１２は、蓋部１２の下端が、収容部１１の外側面における第１開口部１１１の下方の第１領域１１３に近づく向きに移動するように回転することで閉じる。蓋部１２が閉じた状態では、車両のエアコンから送出された空気が蓋部１２の外側面に衝突する。したがって、カップホルダー１は、蓋部１２が閉じた状態で、車両のエアコンから送出された空気を第１開口部１１１から収容部１１に流入させない。
【００１６】
押さえ部１３は、収容部１１に収容されている容器Ｓを支持するとともに、容器Ｓが収容部１１に収容されているか否かに基づいて蓋部１２を開閉させる。押さえ部１３は、一端が、収容部１１の外側において第１の位置と異なる第２の位置を中心として回転可能に支持されており、他端が、収容部１１に形成されている第２開口部１１２を貫通して収容部１１の内側において容器Ｓと接する位置にまで収容部１１の内側に突出する。
【００１７】
押さえ部１３は、例えば断面が略三角形状である。この場合、他端は、例えば、３つの頂点のうちの一端である頂点以外の２つの頂点のうちの収容部１１に近い側の頂点である。具体的には、この場合の他端は、図１で示す他端１３３に相当する。押さえ部１３は、収容部１１の高さ方向に容器Ｓが移動することで回転する。第２の位置は、例えば、押さえ部１３の上端に形成されている第２の穴１３１の位置である。なお、押さえ部１３の断面は、三角形状以外の形状（例えば長方形）であってもよい。
【００１８】
押さえ部１３は、第２の穴１３１に第２軸部１３２が挿入された状態で、第２軸部１３２に対して回転可能に支持されている。第２軸部１３２は、例えば収容部１１の高さ方向と直交する方向において延伸している。第２軸部１３２は、第１軸部１２２と平行である。押さえ部１３は、第２軸部１３２が挿入されている第２の穴１３１を中心に回転する。
【００１９】
例えば乗員が容器Ｓを収容部１１に対して下方に移動させることで収容部１１に収容すると、押さえ部１３の下端は、容器Ｓの外側面によって収容部１１の外側に向かって押されることで、収容部１１の外側に向かって移動する。また、乗員が収容部１１に収容されている容器Ｓを収容部１１に対して上方に移動させることで収容部１１から容器Ｓを取り出すと、押さえ部１３の下端は、収容部１１の内側に向かって移動する。
【００２０】
カップホルダー１には、例えば、２つの押さえ部１３が、収容部１１に収容されている容器Ｓの径方向における両側に位置するように設けられている。２つの押さえ部１３のうちの一方の押さえ部１３が蓋部１２を開閉させる。図１に示すように、２つの押さえ部１３は連携しておらず、２つの押さえ部１３は、それぞれ弾性部材１４の付勢力によって回転するが、２つの押さえ部１３は連携していてもよい。この場合、２つの押さえ部１３は、例えばリンク部品によって連結されており、一方の押さえ部１３が作動することで、他方の押さえ部１３が作動するようにしてもよい。
【００２１】
また、押さえ部１３を弾性体で形成し、円周の一部に切欠きを有するＣリング状とした場合、押さえ部１３自体の収容部１１の内側から外側への反りにより容器Ｓを収容、排出してもよい。
【００２２】
押さえ部１３は、弾性部材１４によって、押さえ部１３の下端が収容部１１の内側に向かって移動する向きに付勢されている。弾性部材１４は、例えばばねである。弾性部材１４は、例えば押さえ部１３の上端に設けられている。弾性部材１４は、押さえ部１３を、第２の位置を中心として、押さえ部１３の下端が、収容部１１の内側に向かって移動する向きに回転するように付勢している。
【００２３】
収容部１１に容器Ｓが収容されることで、弾性部材１４の付勢力に抗して、押さえ部１３は、押さえ部１３の下端が収容部１１の外側に向かって移動する向きに回転する。また、収容部１１から容器Ｓが取り出されることで、弾性部材１４の付勢力によって、押さえ部１３は、押さえ部１３の下端が収容部１１の内側に向かって移動する向きに回転する。
【００２４】
押さえ部１３は、例えば、押さえ部１３が収容部１１に向けて移動することにより押さえ部１３の一部が第２開口部１１２の下縁に接することで、下方に向かって回転する量が規制される。よって、カップホルダー１は、このような構造を有することで、押さえ部１３の下端が収容部１１の外側に向かって移動するのを規制することができる。
【００２５】
また、押さえ部１３は、連結部１５を介して蓋部１２と連結されているので、蓋部１２の回転が規制されると、押さえ部１３の回転も規制される。具体的には、蓋部１２の下端が収容部１１の外側面における第１開口部１１１の下方の領域に接するまで押さえ部１３が回転すると、蓋部１２が収容部１１の内側に向けて回転することができなくなる。したがって、蓋部１２の下端が収容部１１の外側面における第１開口部１１１の下方の領域に接するように構成されていることで、押さえ部１３が上方に向かって回転する量が規制される。よって、カップホルダー１は、このような構造を有することで、蓋部１２が閉じると、押さえ部１３の下端が、収容部１１の内側に向かってさらに移動するのを規制することができる。
【００２６】
さらに、押さえ部１３をＣリング状とした場合、押さえ部１３よりも上方の収容部１１と、押さえ部１３よりも下方の収容部１１とを接続する接続部を押さえ部１３の切欠きに設けると共に、押さえ部１３の円周上の端部同士を接続すると、少ない部品点数で、容器Ｓの収容と排出を行うことができる。
【００２７】
連結部１５は、一端が、第１の位置から第１の距離の位置において蓋部１２に接続されており、他端が、第２の位置から第１の距離よりも大きい第２の距離の位置において押さえ部１３に接続されている。第１の距離は、例えば、蓋部１２に形成されている第１の穴１２１に挿入されている第１軸部１２２の径方向における中心線からの、当該中心線と直交する向きにおける距離である。また、第２の距離は、例えば、押さえ部１３に形成されている第２の穴１３１に挿入されている第２軸部１３２の径方向における中心線からの、当該中心線と直交する向きにおける距離である。
【００２８】
カップホルダー１は、このような連結部１５を有することで、蓋部１２を所定の回転量だけ回転させるために必要な押さえ部１３の回転量を小さくすることができる。よって、カップホルダー１は、乗員が容器Ｓを収容部１１から取り出す際に、蓋部１２が閉じた状態になるために必要な押さえ部１３の回転量を小さくすることができる。この結果、カップホルダー１においては、押さえ部１３が収容部１１の内側に突出する量を小さくすることができるので、容器Ｓを収容部１１から取り出す際に、容器Ｓが押さえ部１３に引っかかりづらくなることで、容器Ｓが収容部１１から抜けづらくなりにくくなる。
【００２９】
また、押さえ部１３の他端は、押さえ部１３の外側に向かって突出する曲面形状の部位である。具体的には、押さえ部１３の下端における容器Ｓと接する側の端部は、例えば、外側に向かって突出する曲面形状である。押さえ部１３がこのような構造を有することで、乗員が容器Ｓを収容部１１から取り出す際に、容器Ｓが押さえ部１３により引っかかりづらくなるので、容器Ｓが収容部１１から抜けづらくなりにくくなる。
【００３０】
［容器Ｓを収容又は排出するときのカップホルダー１の動作］
図２は、本実施形態に係るカップホルダー１に容器Ｓを収容又は排出する際のカップホルダー１の動作を示す図である。図２（ａ）は、収容部１１に容器Ｓが収容されていない状態を示す図である。図２（ｂ）は、収容部１１に容器Ｓが収容されている状態を示す図である。
【００３１】
容器Ｓが収容部１１に収容されていないときは、図２（ａ）に示すように、押さえ部１３は、弾性部材１４の付勢力によって、押さえ部１３の下端が、第２開口部１１２を貫通して収容部１１の内側に位置している。このとき、蓋部１２は、閉じている。よって、車両のエアコンから送出された空気は、第１開口部１１１から収容部１１に流入しない。
【００３２】
乗員が、容器Ｓを収容部１１に収容すると、押さえ部１３は、押さえ部１３の下端が容器Ｓによって収容部１１の外側に向かって押されることで、押さえ部１３の下端が、収容部１１の外側に向かって移動するように回転する。
【００３３】
そして、容器Ｓが収容部１１に収容されると、図２（ｂ）に示すように、押さえ部１３の下端が容器Ｓの外側面と接していることで、押さえ部１３の下端が収容部１１の外側に向かって移動するように回転した状態で支持される。このとき、蓋部１２は、押さえ部１３の回転動作が連結部１５によって伝達されることで回転し、開いた状態になっている。よって、容器Ｓが収容部１１に収容された状態で、車両のエアコンから送出された空気は、第１開口部１１１から収容部１１に流入する。
【００３４】
そして、乗員が収容部１１から容器Ｓを取り出すと、再び、図２（ａ）に示すように、押さえ部１３は、弾性部材１４の付勢力によって、押さえ部１３の下端が収容部１１の内側に向かって移動する向きに回転する。
【００３５】
［本実施形態に係るカップホルダー１による効果］
本実施形態に係るカップホルダー１は、容器Ｓを収容し、車両のエアコンから送出された空気を流入させる第１開口部１１１を有する収容部１１と、収容部１１の外側において、第１の位置を中心として回転可能に支持されており、回転することで第１開口部１１１を開閉する蓋部１２と、を有する。また、カップホルダー１は、一端が、収容部１１の外側において第１の位置と異なる第２の位置を中心として回転可能に支持されており、他端が、収容部１１に形成されている第２開口部１１２を貫通して収容部１１の内側において容器Ｓと接し、収容部１１の高さ方向に容器が移動することで回転する押さえ部１３を有する。
【００３６】
また、カップホルダー１は、一端が、第１の位置から第１の距離の位置において蓋部１２に接続されており、他端が、第２の位置から第１の距離よりも大きい第２の距離の位置において押さえ部１３に接続されている連結部１５を有する。
【００３７】
本実施形態に係るカップホルダー１は、このように一端が、第１の位置から第１の距離の位置において蓋部１２に接続されており、他端が、第２の位置から第１の距離よりも大きい第２の距離の位置において押さえ部１３に接続されている連結部１５を有する。カップホルダー１は、このような構造を有することで、蓋部１２を所定の回転量だけ回転させるために必要な押さえ部１３の回転量を小さくすることができる。
【００３８】
よって、カップホルダー１は、乗員が容器Ｓを収容部１１から取り出す際に、蓋部１２が閉じた状態になるために必要な押さえ部１３の回転量を小さくすることができる。この結果、カップホルダー１においては、押さえ部１３が収容部１１の内側に突出する量を小さくすることができるので、容器Ｓを収容部１１から取り出す際に、容器Ｓが押さえ部１３に引っかかりづらくなることで、容器Ｓが収容部１１から抜けづらくなりにくくなる。
【００３９】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００４０】
１・・・カップホルダー
１１・・・収容部
１１１・・・第１開口部
１１２・・・第２開口部
１１３・・・第１領域
１２・・・蓋部
１２１・・・第１の穴
１２２・・・第１軸部
１３・・・押さえ部
１３１・・・第２の穴
１３２・・・第２軸部
１３３・・・他端
１４・・・弾性部材
１５・・・連結部
Ｓ・・・容器
【図１】
2020131841.tif 000003
【図２】
2020131841.tif 000004